(57)【要約】【課題】画像評価装置において、照明用のランプの発光強度を上昇させて発光波長特性を改善する方式を採用しつつも、ランプ寿命の劣化を抑えるための技術を提供する。【解決手段】コントローラ４０１は、ＵＩ部４０４を介してユーザが選択した画像評価モードが、色彩に注目するモードか否かを判定する。そして、色彩に注目するモードであれば、所定の高レベルの電圧をランプ４０２に印加するようランプ電圧制御回路４０３に指示し、ランプ４０２の発光中のＢ（青）成分の相対強度を高める。一方、色彩に注目しないモードであれば、Ｂ成分が弱くても問題ないので、所定の低レベルの電圧をランプ４０２に印加するようランプ電圧制御回路４０３に指示する。常に高レベルとしてないので、ランプの寿命の劣化が緩和できる。【選択図】図８
2007104575.tif 000002
【特許請求の範囲】
【請求項１】
熱輻射型の光源により評価対象画像を照明し、評価対象画像からの反射光を検出して評価対象画像の評価を行う画像評価装置であって、
評価対象画像に対して実行する画像評価のモードを判別する判別手段と、
光源に対する供給電力のレベルを判別手段で判別されたモードに応じて制御する制御手段と、
を備える画像評価装置。
【請求項２】
請求項１記載の画像評価装置であって、
前記判別手段は、前記画像評価のモードが色彩に注目するモードであるか否かを判別し、
前記制御手段は、前記モードが色彩に注目する評価モードであれば前記光源に対する供給電力のレベルを第１のレベルとし、色彩に注目しない評価モードであれば前記光源に対する供給電力のレベルを第１のレベルより低い第２のレベルとする、
ことを特徴とする画像評価装置。
【請求項３】
請求項１記載の画像評価装置であって、
前記判別手段は、前記画像評価のモードが、イエロー色材の画像を評価する評価モードであるか否かを判別し、
前記制御手段は、前記モードがイエロー色材の画像を評価する評価モードであれば前記光源に対する供給電力のレベルを第１のレベルとし、イエロー色材の画像を評価する評価モードでなければ前記光源に対する供給電力のレベルを第１のレベルより低い第２のレベルとする、
ことを特徴とする画像評価装置。
【請求項４】
請求項１記載の画像評価装置であって、
前記判別手段は、前記画像評価のモードが、評価対象画像からの反射光の青成分を評価に用いるモードか否か判別し、
前記制御手段は、前記モードが青成分を評価に用いるモードであれば前記光源に対する供給電力のレベルを第１のレベルとし、青成分を評価に用いるモードでなければ前記光源に対する供給電力のレベルを第１のレベルより低い第２のレベルとする、
ことを特徴とする画像評価装置。
【請求項５】
請求項１記載の画像評価装置であって、
前記判別手段は、ユーザから画像評価のモードの選択を受け付け、その選択の結果に基づきモードを判別する、
ことを特徴とする画像評価装置。
【請求項６】
請求項１記載の画像評価装置であって、
前記判別手段は、評価対象画像をプリスキャンすることにより評価対象画像の種別を判別し、該種別に基づき画像評価のモードを判別する、
ことを特徴とする画像評価装置。
【発明の詳細な説明】
【技術分野】
【０００１】
本発明は、モノクロコピーやカラーハードコピー等の画像出力装置などによって出力されたモノクロ画像やカラー画像情報を評価するための画像評価装置に関する。
【背景技術】
【０００２】
画像品質を評価する場合、人間が感じる画像品質の程度を数量化する心理評価と画像自体の持つ物理特性を測定機により評価する物理評価とがある。心理評価は製品の最終検査などに広く用いられているが、検査者が異なったり、検査者の疲労などによって検査結果が変化するなどの欠点がある。
【０００３】
一方、画像品質の物理評価法としては、たとえば特許文献１に記載された画像評価装置がある。この画像評価装置は、２次元的な位置情報と光学的情報を含む被画像情報を色彩情報に変換し、その変換された２次元情報を周波数解析により２次元空間周波数情報に変換し、２次元空間周波数情報を１次元化した後、人間の視覚の空間周波数特性に対応した補正を加えるものであり、濃度（明度）情報だけでなく色彩情報である彩度情報、色相情報も検出することができる。
【０００４】
従来は光電子増倍管と分光フィルター等といった精密な装置構成を用いて検査画像の画像情報を定量化していたが、測定に時間やコストを要するため、最近ではラインセンサーやエリアセンサーを用いて画像情報を定量化する方法が考案されている。このような方法として、特許文献２に示されるものがある。この文献の方法では、安価なスキャナを用いて測定対象を読み取ることで２次元的な位置情報とともにカラー画像の色彩情報を得、これらの情報をもとに測定対象の画像品質を評価している。
【０００５】
近年の画像出力装置の高画質化に伴い、画像評価を行う際の撮像にも高い解像度が要求されている。評価画像を高解像度に撮像するためには、受光素子であるイメージセンサの微小な各画素からの出力がノイズに対して十分大きくなるよう、いわゆるＳＮ比の高い出力を得ることが測定精度の向上に対して極めて重要になる。このためには、測定対象に対する照明光源からの照射光量が十分に大きいことが必要である。
【０００６】
また、カラー画像を評価するには光量だけでなく光源の分光発光特性も重要である。可視波長域である４００〜７００ｎｍの範囲内に、分光発光特性として波長不連続性や光量欠落などが存在すると精度良く色彩情報を計測することができない。このように、光量と分光発光特性の両面から考えると、光源の種類としてはハロゲンランプ等の熱輻射光源が好適であるといえる。これ以外の光源、例えば蛍光ランプや放電ランプなどの場合、発光原理上から特定の波長に強い発光（輝線）が現れ、波長連続性の点で問題となりやすく、また大光量を得ることは難しい。
【０００７】
ハロゲンランプは波長の連続性や発光強度の点で優れた光源であるが、短波長成分の方が長波長成分より強度が低いという性質がある。このため、発光波長に含まれる赤（Ｒ）・緑(Ｇ)・青(Ｂ)成分のうち最も短波長側にあるＢ成分が相対的に弱くなる。また、イメージセンサであるＣＣＤの分光感度は長波長側で高く、短波長側で低い。これらの相乗効果により、イメージセンサ出力のＢ成分のＳＮ比が相対的に劣化してしまう。
【０００８】
そこで、光源のＲＧＢバランス、いわゆるホワイトバランスを補正するため光量を制御するなどの例が、特許文献３、特許文献４に示されている。また、イメージセンサの分光感度に起因するＲＧＢ感度差を補正するため、Ｂ成分のイメージセンサ電化蓄積時間を最適化する例が、特許文献５に示されている。
【０００９】
【特許文献１】特開平０５−２８４２６０号公報
【特許文献２】特開平１０−０２３１９１号公報
【特許文献３】特開平０５−３１６５１９号公報
【特許文献４】特開平０５−３２８３８６号公報
【特許文献５】特開平０８−３０７６０１号公報
【発明の開示】
【発明が解決しようとする課題】
【００１０】
上記のように、従来はＢ成分の相対的なＳＮ比低下を防ぐため、付加的な機構を用いて様々な補正が行なわれていた。しかし、これらの機構を設けるために機構の複雑化やコスト増加を招いていた。
【００１１】
このような機構の複雑化やコスト増加を避けつつ短波長であるＢ成分を増加させる手段としては、ランプに印加する電圧を上げてフィラメント温度を上昇させるという方策が考えられる。しかしながら、印加電圧の増加に伴いランプ寿命は低下する傾向にあり、ランプの定格電圧を越えるとランプ寿命が著しく低下するという問題がある。
【００１２】
本発明は、照明用のランプの発光強度を上昇させて発光波長特性を改善する方式を採用しつつも、ランプ寿命の劣化を抑えるための技術を提供する。
【課題を解決するための手段】
【００１３】
本発明に係る画像評価装置は、熱輻射型の光源により評価対象画像を照明し、評価対象画像からの反射光を検出して評価対象画像の評価を行う画像評価装置であって、評価対象画像に対して実行する画像評価のモードを判別する判別手段と、光源に対する供給電力のレベルを判別手段で判別されたモードに応じて制御する制御手段と、を備える。
【００１４】
本発明の好適な態様では、前記判別手段は、前記画像評価のモードが色彩に注目するモードであるか否かを判別し、前記制御手段は、前記モードが色彩に注目する評価モードであれば前記光源に対する供給電力のレベルを第１のレベルとし、色彩に注目しない評価モードであれば前記光源に対する供給電力のレベルを第１のレベルより低い第２のレベルとする。
【００１５】
別の好適な態様では、前記判別手段は、前記画像評価のモードが、イエロー色材の画像を評価する評価モードであるか否かを判別し、前記制御手段は、前記モードがイエロー色材の画像を評価する評価モードであれば前記光源に対する供給電力のレベルを第１のレベルとし、イエロー色材の画像を評価する評価モードでなければ前記光源に対する供給電力のレベルを第１のレベルより低い第２のレベルとする。
【００１６】
更に別の好適な態様では、前記判別手段は、前記画像評価のモードが、評価対象画像からの反射光の青成分を評価に用いるモードか否か判別し、前記制御手段は、前記モードが青成分を評価に用いるモードであれば前記光源に対する供給電力のレベルを第１のレベルとし、青成分を評価に用いるモードでなければ前記光源に対する供給電力のレベルを第１のレベルより低い第２のレベルとする。
【００１７】
更に別の好適な態様では、前記判別手段は、ユーザから画像評価のモードの選択を受け付け、その選択の結果に基づきモードを判別する。
【００１８】
更に別の好適な態様では、前記判別手段は、評価対象画像をプリスキャンすることにより評価対象画像の種別を判別し、該種別に基づき画像評価のモードを判別する。
【発明を実施するための最良の形態】
【００１９】
以下、図面を参照して、本発明の実施の形態について説明する。
【００２０】
まず、画像評価装置のハードウエアの概略構成を図１に示す。この装置では、原稿台１０５の上に評価対象原稿１０４を配置し、照明装置１０３ａおよび１０３ｂで評価対象原稿１０４を照明し、反射光をレンズ１０２を介して撮像素子１０１に結像させ、評価対象原稿１０４を撮像する。この例では撮像素子１０１はラインＣＣＤであり、撮像素子１０１、レンズ１０２、照明装置１０３ａおよび１０３ｂを、ラインＣＣＤのＣＣＤ配列とは略垂直に駆動しながら評価対象原稿１０４の撮像を行い、所望の領域の撮像が終了するまで撮像を繰り返す。
【００２１】
照明装置１０３ａ、１０３ｂの構造例を図２に示す。１つの照明装置は、ライン状のハロゲンランプ管２０１に集光用の反射板２０２を組合せ、これを筐体２０３に収容したものである。反射板２０２の裏側には空冷ファン２０４が設置され、発光に伴う発熱を冷却するようになっている。発光面側には、赤外線除去用の熱線吸収フィルター２０５が設置されている。
【００２２】
ライン状のハロゲンランプ管２０１は、一般に、図３にしめすように、ハロゲンガスを含む封入ガスが封入された管３０１の中に、複数のフィラメント３０２が連結したものが張り渡されて構成される。ハロゲンガスには、ヨウ素（Ｉ）、臭素（Ｂｒ）、塩素（Ｃｌ）、フッ素（Ｆ）などがある。フィラメント３０２は一般にタングステンが用いられ、このフィラメントから蒸発したタングステンは、ハロゲンガスと反応し、いわゆるハロゲンサイクルと呼ばれる一連の反応を経て再びフィラメントに戻る。このように、ハロゲンガスはタングステンの蒸発防止に有効であるため、結果としてランプの高効率化や長寿命化が図られる。ハロゲンランプの特性としては、放電管や蛍光灯など他の光源に比べ比較的大光量が得られやすく、また発光分光特性が連続的であるため色彩計測の点からも望ましい。
【００２３】
このように優れた特性を有するハロゲンランプであるが、その発光波長分布は連続性はあるものの、図４に示すように、長波長に比べ短波長成分の発光強度が相対的に弱いという特徴を持つ。これはハロゲンランプの発光が熱輻射を利用したものであるからであり、プランク放射則が示すように発光体であるフィラメント温度の上昇と共に赤外領域から可視波長域へ、すなわち長波長側から短波長側方向へ相対的に強度を増していくからである。しかし、一般的なハロゲンランプに使われているタングステンフィラメントにおいては、色温度は３０００Ｋ程度と低く、その短波長成分は相対的に弱いのが現実である。
【００２４】
このため、発光波長に含まれる赤（Ｒ）・緑（Ｇ）・青（Ｂ）成分のうち最も短波長側にあるＢ成分が相対的に弱くなる。また、イメージセンサであるＣＣＤの分光感度は長波長側で高く、短波長側で低い。これらの相乗効果により、イメージセンサ出力のＢ成分のＳＮ比が相対的に劣化してしまう。
【００２５】
図５に典型的なハロゲンランプとカラーＣＣＤの組合せによるシステムレスポンスを示す。ＲやＧ成分に比べてＢ成分の相対感度が低いことがわかる。なお、ここでは実用上の問題として不要な赤外発光成分を除去するためのＩＲカットフィルターを通した場合のシステムレスポンスを示している。
【００２６】
ハロゲンランプの発光波長に含まれるＢ成分の比率を上げる方法の一つとして、印加電圧を増加させる方法がある。これは、発光体であるフィラメントの温度を上げることで、プランク放射則から、短波長成分の比率を増やすことが出来るからである。図６に印加電圧を変化させた場合のハロゲンランプの発光分光特性の変化の様子を示す。なお、ここでもＩＲカットフィルターが使われており、７００ｎｍ以上の波長成分は除去されている。また、比較のためデータは各ピーク値を１００％として規格化されている。図から分かるように、印加電圧の増加に伴い発光波長に含まれる短波長成分の強度比率が増している。ただし、全光量の絶対量も印加電圧に比例しているため、印加電圧での波長制御を行なう際には、波長成分の比率だけでなく光量も考慮しなければならない。例えば、長波長成分の比率は本来高いため、特にＲＧＢ全成分のバランスを考慮する必要がない場合には、光量的に有利なＧ成分またはＲ成分を用いて評価を行なうことができ、このときは印加電圧が比較的低い場合でも測定精度は維持される。
【００２７】
印加電圧を増やすうえでの問題点としては、ランプ寿命に対する影響が懸念される。図７にランプ印加電圧（定格電圧に対する相対比）とランプ寿命の関係を示す。ランプ寿命は印加電圧に強く依存しており、ランプ使用条件として最適設計が施されている定格電圧値を超えることで、そのランプ寿命は著しく低下する。一般的には、定格電圧の±１０％以内が標準条件であり、この上限でもある定格電圧+１０％での寿命は定格電圧での寿命の１/３にまで低下することがわかっている。従って、発光波長のＢ成分比率を上げるために印加電圧を増加させることは、ランプ寿命との兼ね合いで検討されなければならない。
【００２８】
以上のような考察に基づき、この実施の形態では、画像評価装置が実行する画像評価モードの違いに応じてＢ成分比率を上げるか否かを判断し、測定精度の向上とランプ長寿命化を両立させることとした。
【００２９】
すなわち、本実施の形態では、色彩情報の評価など短波長のＢ成分を含めてＲＧＢすべての波長域で精度良く測定する必要がある場合には、比較的高い電圧を印加し、色温度を高くして発光波長に含まれるＢ成分の比率を増やすことで測色精度向上を図る。その一方、線画像や文字画像など色彩情報を伴わず画像の濃淡のみで評価する場合にはＢ成分を高精度で測定する必要がないため、Ｇ成分またはＲ成分を用いて評価を行なえばよい。Ｇ成分またはＲ成分であれば光量的に有利であるため、色彩情報の評価の場合より印加電圧を下げて色温度を低くすることでランプ長寿命化を図る。
【００３０】
本実施の形態の画像評価装置におけるこのようなランプ制御のための機能構成を図８に示す。図８の構成において、コントローラ４０１は、画像評価装置全体の制御を行う制御ユニットであり、例えば評価対象の読み取りのために撮像素子１０１や照明装置１０３ａ，１０３ｂの駆動機構を制御するなどの処理を行う。コントローラ４０１は、例えば、ＣＰＵ等のプロセッサにプログラムを実行させることで実現できる。このプログラムには、後述するようなランプへの印加電圧の制御ルーチンが含まれる。
【００３１】
ランプ電圧制御回路４０３は、照明装置１０３ａ，１０３ｂのランプ４０２に対する印加電圧を制御する回路である。ランプ電圧制御回路４０３は、ランプ４０２に対する印加電圧を、高低の２つのレベル（電圧値）で切り換える機能を持つ。高低２つのレベルの電圧値については、あらかじめランプ電圧制御回路４０３又はコントローラ４０１に登録されている。印加電圧を高レベルにすると、ランプ４０２の発光の色温度が上昇することにより短波長の成分の割合が低レベルの場合よりも大きくなる。これにより照明のＢ成分が強まるため測色精度の向上が見込める。一方、印加電圧を低レベルとすると、測色精度の点では高レベルの場合より劣るが、ランプ４０２の寿命は高レベルの場合よりも延びる。印加電圧の高・低各レベルの電圧値は、特に限定するものではない。例えば高レベルはランプ４０２の定格電圧の数％増し程度で低レベルは定格電圧としてもよいし、高レベルは定格電圧程度で低レベルはそれより低い電圧としてもよい。
【００３２】
ランプ４０２に対する印加電圧のレベルは、例えば、ユーザから指示された画像評価モードに基づき切り換える。
【００３３】
画像評価モードは、画像評価装置が実行可能な画像評価の種類である。例えば、対象画像の色彩値（例えばCIEのL*a*b*値）を求めるモードや、色付き画像の粒状性（「ザラザラ」感）などのように、色彩と周波数成分の組合せにより生じる画像特性値を求めるモード、線画像や文字画像などの特性（例えばエッジの鋭さなど）を求めるモード、濃淡画像の解像度を求めるモードなどを例示することができる。これら画像評価モードのうち、色彩値や色付き画像の粒状性を求めるモードのように色彩に注目するモードでは、照明のＢ成分が強い方が測定精度が向上する。したがって、このようなモードでは印加電圧を高レベルに設定することが好適である。これに対し、線画像や文字画像、濃淡画像を評価するモードのように色彩に注目しないモードでは、Ｂ成分の強度は強くなくてよい。特に評価対象として白黒画像が用いられる場合はＧ成分又はＲ成分だけでも評価ができるので、Ｂ成分の強度はあまり重要ではない。したがって、色彩に着目しないモードでは、ランプ寿命の延伸のために印加電圧を低レベルに設定しても、十分な精度で測定が可能である。
【００３４】
本実施の形態では、画像評価装置が備える各画像評価モードがそれぞれ色彩に注目するモードか（言い換えれば高レベルの印加電圧に該当するモードか）否かを示す判定情報をコントローラ４０１に持たせる。そして、コントローラ４０１は、図９に示すように、表示画面やキーボード等を備えたＵＩ（ユーザインタフェース）部４０４を介してユーザから画像評価モードの選択を受け付け（Ｓ１）、その選択された画像評価モードが色彩に注目するモードに該当するか否かを前述の判定情報を参照して判定する（Ｓ２）。ここで色彩に注目するモードと判定した場合、コントローラ４０１は、ランプ電圧制御回路４０３に対し、ランプ４０２への印加電圧を高レベルとするように指示し（Ｓ３）、この状態で評価対象原稿の読み取りのための処理を実行する。逆に、色彩に注目するモードではないと判定した場合、コントローラ４０１は、印加電圧を低レベルとするようランプ電圧制御回路４０３に指示して読み取り処理を実行する（Ｓ４）。なお、印加電圧を低レベルとした場合は、読み取った画像のＧ又はＲ成分（好適にはＧ成分）、又はその両方を用いて画像評価を行うようにしてもよい。
【００３５】
以上に説明した図９の手順に代えて、図１０に示す手順を用いることもできる。図１０の手順では、コントローラ４０１は、画像評価の実行が指示された場合、実際の画像評価のための本スキャン（撮像）の前に評価対象原稿１０４をプリスキャンし（Ｓ１１）、このプリスキャンにより評価対象原稿１０４が、色彩のある画像であるか白黒画像であるかを判定する（Ｓ１２）。この判定は公知の手法で行えばよい。この判定の結果、色彩のある画像であればランプ４０２への印加電圧を高レベル（Ｓ１３）と、そうでなければ低レベル（Ｓ１４）とするようにランプ電圧制御回路４０３に指示を行い、本スキャンを実行する。
【００３６】
プリスキャンでは色彩がある画像か否かが判別できればよいので、短いスキャン時間で読み取った低解像度の画像でも十分であり、照明も精密な測色の場合よりも弱くてよい。このようにプリスキャンでは比較的低い強度で短時間照明すればよいので、ランプの寿命に与える影響はそれほど大きくない。
【００３７】
このように、図１０の例では、プリスキャンにより評価対象原稿の種別を判別しているが、これは評価対象原稿に対して行われる画像評価のモードが、色彩に着目するものか否かを判別しているのと等価である。
【００３８】
以上のような実施の形態の仕組みにより、色彩情報の評価など短波長のＢ成分を精度良く測定する必要がある場合には、比較的高い電圧を印加し色温度を高くして発光波長に含まれるＢ成分の比率を増やすことで測色精度向上を図り、一方で線画像や文字画像など色彩情報を伴わず画像の濃淡のみで評価する場合には、印加電圧を下げ色温度を低くすることでランプ長寿命化を図ることが可能である。この結果、Ｂ成分の補正機構の追加による画像評価装置のコスト増加を避け、またランプ短寿命化などによるコスト増加の問題を回避又は緩和しつつも、画像評価モードに応じてそれぞれ良好な精度で画像評価を行うことができる。
【００３９】
以上に説明した実施の形態はあくまで一例に過ぎない。例えば、画像評価装置の光源はライン状のハロゲンランプでなく、スポット状など他の形状のハロゲンランプを用いてもよい。また、ハロゲンランプ以外の他の熱輻射型のランプを用いた場合でも、本実施の形態の方式が適用できることは容易に理解されるであろう。また、以上の例では、照明光源は反射板で集光するタイプのものであったが、これに限らず、他の集光手段を用いたものであっても、また集光が不要な場合であっても、本実施の形態の方式は適用できる。また、評価対象画像の読み取りにラインセンサを用いる場合に限らず、エリアセンサなど、他の方式の検出器を用いる場合にも本実施の形態の方式は適用可能である。また、以上の例はランプの発光強度を印加電圧で制御するものであったが、電流制御により発光強度を制御するものであってもよい。すなわち、Ｂ成分の相対強度を高める必要があるモードであればランプへの供給電流を高レベルとし、そうでなければ高レベルより低い低レベルとすればよい。電圧制御にしろ電流制御にしろ、ランプへの供給電力のレベルを画像評価モードに応じて切り換えればよい。
【００４０】
また、上記の例では、評価対象原稿の色彩の有無に応じて印加電圧のレベルを切り換えた。ところが、例えばＹ（イエロー）色単色の評価対象原稿に対して評価を行う場合は、その補色であるＢ成分の受光信号が重要であり、十分な強度があることが望ましい。したがって、Ｙ色を評価するモードが選択された場合や、プリスキャンにより評価対象原稿がＹ色単色であると判定された場合には、印加電圧を高レベルに設定することが好適である。
【００４１】
また、以上では、ランプ４０２に対する印加電圧を高低２レベルとした例を示したが、これを３レベル以上とし、画像評価モードに応じて切り換えるようにしてももちろんよい。
【図面の簡単な説明】
【００４２】
【図１】実施の形態の制御が適用される画像評価装置の一例のハードウエア構成を概略的に示す図である。
【図２】画像評価装置が備える照明装置の構成の一例を概略的に示す図である。
【図３】ライン状のハロゲンランプ管の概略構成を説明するための図である。
【図４】ハロゲンランプの発光分光特性の一例を示す図である。
【図５】ハロゲンランプとカラーＣＣＤの組合せにおけるシステムレスポンスの一例を示す図である。
【図６】ハロゲンランプの発光分光特性の印加電圧依存性を示す図である。
【図７】ハロゲンランプ印加電圧とランプ寿命の関係を示す図である。
【図８】実施の形態の画像評価装置におけるランプ制御のための機能構成を示す図である。
【図９】ランプ印加電圧制御のための処理手順の一例を示す図である。
【図１０】ランプ印加電圧制御のための処理手順の別の例を示す図である。
【符号の説明】
【００４３】
１０１  撮像素子、１０２  レンズ、１０３ａ，１０３ｂ  照明装置、１０４  評価対象原稿、１０５  原稿台、４０１  コントローラ、４０２  ランプ、４０３  ランプ電圧制御回路、４０４  ＵＩ（ユーザインタフェース）部。
【図１】
2007104575.tif 000003
【図２】
2007104575.tif 000004
【図３】
2007104575.tif 000005
【図４】
2007104575.tif 000006
【図５】
2007104575.tif 000007
【図６】
2007104575.tif 000008
【図７】
2007104575.tif 000009
【図８】
2007104575.tif 000010
【図９】
2007104575.tif 000011
【図１０】
2007104575.tif 000012